【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記特別入賞口とは異なる他の特別入賞口と、前記他の特別入賞口を開閉する他の特別入賞口開閉部材と、を有する他の特別入賞手段と、
前記第１入球口への入球に基づいて判定情報を取得する第１判定情報取得手段と、
前記第２入球口への入球に基づいて判定情報を取得する第２判定情報取得手段と、
前記第１判定情報取得手段により取得された判定情報を、その判定情報に基づく第１当たり判定が実行されるまでの間、所定の上限記憶数を限度として記憶可能な第１入球口用記憶手段と、
前記第２判定情報取得手段により取得された判定情報を、その判定情報に基づく第２当たり判定が実行されるまでの間、所定の上限記憶数を限度として記憶可能な第２入球口用記憶手段と、
予め定めた第１の判定条件が成立すると、前記第１判定情報取得手段により取得された判定情報に基づいて前記第１当たり判定を行う第１当たり判定手段と、
予め定めた第２の判定条件が成立すると、前記第２判定情報取得手段により取得された判定情報に基づいて前記第２当たり判定を行う第２当たり判定手段と、
当たりに当選した場合に、当たりの種類を判定する当たり種別判定手段と、
当選した当たりの種類に応じて設定された開放パターンにて前記特別入賞口開閉部材又は前記他の特別入賞口開閉部材を開放する特別遊技制御手段と、
当選した当たりの種類に応じて特別遊技後の遊技状態を所定の終了条件が成立するまで通常遊技状態よりも前記第２当たり判定が行われやすい特典遊技状態に制御可能な遊技状態制御手段と、
遊技の進行に伴って遊技に関する演出を制御する演出制御手段と、を備えた遊技機であって、
前記特別遊技制御手段は、
当選した当たりの種類が特定当たりであった場合に、前記特別入賞口開閉部材を開放する第１特別遊技を行うと共に、
前記第１特別遊技の実行中に前記特定領域へ遊技球が通過した場合に、前記特別入賞口開閉部材又は前記他の特別入賞口開閉部材を開放する第２特別遊技を実行可能に構成されており、
前記演出制御手段は、
実行される演出態様として、前記第２特別遊技後の遊技状態が前記特典遊技状態であることを示唆する有利演出態様と、前記通常遊技状態であることを示唆する非有利演出態様に制御可能であると共に、
前記第２特別遊技後の遊技状態が前記通常遊技状態に制御される場合であっても、前記第２入球口用記憶手段に判定情報の記憶がある場合には、前記有利演出態様に制御するものであることを特徴とする遊技機。
【請求項２】
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記特別入賞口とは異なる他の特別入賞口と、前記他の特別入賞口を開閉する他の特別入賞口開閉部材と、を有する他の特別入賞手段と、
前記第１入球口への入球に基づいて判定情報を取得する第１判定情報取得手段と、
前記第２入球口への入球に基づいて判定情報を取得する第２判定情報取得手段と、
前記第１判定情報取得手段により取得された判定情報を、その判定情報に基づく第１当たり判定が実行されるまでの間、所定の上限記憶数を限度として記憶可能な第１入球口用記憶手段と、
前記第２判定情報取得手段により取得された判定情報を、その判定情報に基づく第２当たり判定が実行されるまでの間、所定の上限記憶数を限度として記憶可能な第２入球口用記憶手段と、
予め定めた第１の判定条件が成立すると、前記第１判定情報取得手段により取得された判定情報に基づいて前記第１当たり判定を行う第１当たり判定手段と、
予め定めた第２の判定条件が成立すると、前記第２判定情報取得手段により取得された判定情報に基づいて前記第２当たり判定を行う第２当たり判定手段と、
当たりに当選した場合に、当たりの種類を判定する当たり種別判定手段と、
当選した当たりの種類に応じて設定された開放パターンにて前記特別入賞口開閉部材又は前記他の特別入賞口開閉部材を開放する特別遊技制御手段と、
当選した当たりの種類に応じて特別遊技後の遊技状態を所定の終了条件が成立するまで通常遊技状態よりも前記第２当たり判定が行われやすい特典遊技状態に制御可能な遊技状態制御手段と、
遊技の進行に伴って遊技に関する演出を制御する演出制御手段と、を備えた遊技機であって、
前記特別遊技制御手段は、
当選した当たりの種類が特定当たりであった場合に、前記特別入賞口開閉部材を開放する第１特別遊技を行うと共に、
前記第１特別遊技の実行中に前記特定領域へ遊技球が通過した場合に、前記特別入賞口開閉部材又は前記他の特別入賞口開閉部材を開放する第２特別遊技を実行可能に構成されており、
前記演出制御手段は、
実行される演出態様として、前記第２特別遊技後の遊技状態が前記特典遊技状態であることを示唆する有利演出態様と、前記通常遊技状態であることを示唆する非有利演出態様に制御可能であると共に、
前記第２特別遊技後の遊技状態が前記通常遊技状態に制御される場合であっても、前記第２入球口用記憶手段に判定情報の記憶がある場合には、前記有利演出態様に制御するものであり、
前記有利演出態様には、第１の有利演出態様と、第２の有利演出態様があることを特徴とする遊技機。
【手続補正２】
【補正対象書類名】明細書
【補正対象項目名】０００９
【補正方法】変更
【補正の内容】
【０００９】
本発明の遊技機は、
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記特別入賞口とは異なる他の特別入賞口と、前記他の特別入賞口を開閉する他の特別入賞口開閉部材と、を有する他の特別入賞手段と、
前記第１入球口への入球に基づいて判定情報を取得する第１判定情報取得手段と、
前記第２入球口への入球に基づいて判定情報を取得する第２判定情報取得手段と、
前記第１判定情報取得手段により取得された判定情報を、その判定情報に基づく第１当たり判定が実行されるまでの間、所定の上限記憶数を限度として記憶可能な第１入球口用記憶手段と、
前記第２判定情報取得手段により取得された判定情報を、その判定情報に基づく第２当たり判定が実行されるまでの間、所定の上限記憶数を限度として記憶可能な第２入球口用記憶手段と、
予め定めた第１の判定条件が成立すると、前記第１判定情報取得手段により取得された判定情報に基づいて前記第１当たり判定を行う第１当たり判定手段と、
予め定めた第２の判定条件が成立すると、前記第２判定情報取得手段により取得された判定情報に基づいて前記第２当たり判定を行う第２当たり判定手段と、
当たりに当選した場合に、当たりの種類を判定する当たり種別判定手段と、
当選した当たりの種類に応じて設定された開放パターンにて前記特別入賞口開閉部材又は前記他の特別入賞口開閉部材を開放する特別遊技制御手段と、
当選した当たりの種類に応じて特別遊技後の遊技状態を所定の終了条件が成立するまで通常遊技状態よりも前記第２当たり判定が行われやすい特典遊技状態に制御可能な遊技状態制御手段と、
遊技の進行に伴って遊技に関する演出を制御する演出制御手段と、を備えた遊技機であって、
前記特別遊技制御手段は、
当選した当たりの種類が特定当たりであった場合に、前記特別入賞口開閉部材を開放する第１特別遊技を行うと共に、
前記第１特別遊技の実行中に前記特定領域へ遊技球が通過した場合に、前記特別入賞口開閉部材又は前記他の特別入賞口開閉部材を開放する第２特別遊技を実行可能に構成されており、
前記演出制御手段は、
実行される演出態様として、前記第２特別遊技後の遊技状態が前記特典遊技状態であることを示唆する有利演出態様と、前記通常遊技状態であることを示唆する非有利演出態様に制御可能であると共に、
前記第２特別遊技後の遊技状態が前記通常遊技状態に制御される場合であっても、前記第２入球口用記憶手段に判定情報の記憶がある場合には、前記有利演出態様に制御するものであることを特徴とする遊技機である。